(57)【要約】【課題】乾式目地材を用いる外壁目地の構造を対象とし、乾式目地材の取付け状態を安定したものにすることができる外壁目地の構造を提供する。【解決手段】目地９内に乾式目地材取付け用の継ぎ手部品１０が備えられ、乾式目地材５がこの継ぎ手部品１０に嵌合保持されて目地９に取り付けられている。目地９は横目地であり、乾式目地材５の背後に止水手段としての水切り金物６が備えられ、該水切り金物６によって屋内側への侵入を阻止された水が、目地９を挟む下側の壁３ａと乾式目地材５との間の隙間１１を通じて屋外に排出されるようになされている。また、乾式目地材５は、屋外からの風圧及び／又は水圧を受けると、隙間１１を閉じるよう復元可能に弾性変形して屋外側からの水の侵入を抑制又は阻止するようになされている。【選択図】      図１
2004156313.tif 000002
【特許請求の範囲】
【請求項１】
目地内に乾式目地材取付け用の継ぎ手部品が備えられ、乾式目地材がこの継ぎ手部品に嵌合保持されて目地に取り付けられていることを特徴とする外壁目地の構造。
【請求項２】
前記目地が横目地であり、前記乾式目地材の背後に止水手段が備えられ、該止水手段によって屋内側への侵入を阻止された水が、目地を挟む下側の壁と乾式目地材との間を通じて屋外に排出されるようになされている請求項１に記載の外壁目地の構造。
【請求項３】
前記乾式目地材は、屋外からの風圧及び／又は水圧を受けると、目地を挟む下側の壁と乾式目地材との間を閉じるよう復元可能に弾性変形して屋外側からの水の侵入を抑制又は阻止するようになされている請求項２に記載の外壁目地の構造。
【請求項４】
前記目地が横目地であり、前記乾式目地材は、目地を挟む上側の壁の側において、屋外に向けて斜め下方に傾斜している請求項１乃至３のいずれか一に記載の外壁目地の構造。
【発明の詳細な説明】
【０００１】
【発明の属する技術分野】
本発明は、外壁目地の構造に関する。
【０００２】
【従来の技術】
外壁パネル等を用いた住宅等の建物における外壁パネル間の目地には、湿式のシーリングが施工してあるか、縦目地についてはガスケットなどの乾式目地材が嵌め込まれることも多い。
【０００３】
【発明が解決しようとする課題】
しかしながら、湿式のシーリングでは、メンテナンス性が良いとは言えず、施工後の養生期間も必要となるなどの問題がある。
【０００４】
これに対し、ガスケットなどの乾式目地材を目地に嵌め込む構造では、そのような問題はないが、その一方で、乾式目地材を目地空間を挟む両側の面部に弾力的に当接させるようにして取り付けるものであるため、取付け状態が目地空間を挟む両側の面部への当接状態に依存してしまい、安定した取付け状態を維持するのが難しい場合がある。
【０００５】
本発明は、上記のような従来の問題点に鑑み、乾式目地材を用いる外壁目地の構造を対象とし、乾式目地材の取付け状態を安定したものにすることができる外壁目地の構造を提供することを課題の一つとする。
【０００６】
【課題を解決するための手段】
上記の課題は、目地内に乾式目地材取付け用の継ぎ手部品が備えられ、乾式目地材がこの継ぎ手部品に嵌合保持されて目地に取り付けられていることを特徴とする外壁目地の構造によって解決される。
【０００７】
この構造では、乾式目地材が、目地に備えられた継ぎ手部品に嵌合保持されて目地に取り付けられているので、乾式目地材の取付け状態が目地空間を挟む両側の面部への当接状態に依存せず、そのため、乾式目地材の取付け状態を安定したものにすることができる。なお、本構造では、乾式目地材が、目地空間を挟む両側の面部又はいずれか一方の面部に当接しているか否かは問わない。
【０００８】
上記の構造において、前記目地が横目地であり、前記乾式目地材の背後に止水手段が備えられ、該止水手段によって屋内側への侵入を阻止された水が、目地を挟む下側の壁と乾式目地材との間を通じて屋外に排出されるようになされているのもよい。
【０００９】
この構造では、横目地を乾式目地材によって隠すことができ、しかも、屋内側への水の侵入は止水手段によって阻止することができ、そして、止水手段によって侵入を阻止された水は横目地を挟む下側の壁と乾式目地材との間を通じて屋外に排出することができる。
【００１０】
即ち、横目地において、乾式目地材の背後に止水手段が備えられているので、止水手段で止水した水を乾式目地材を越えて屋外に排出できなければならないが、その水を、本発明では、横目地を挟む下側の壁と乾式目地材との間を通じて屋外に排出するようにしている。そして、このような排水機構を実現するためには、乾式目地材の取付け状態が目地空間を挟む両側の面部に依存する構造であっては、止水手段で止水した水が横目地を通じて外に排出されず、そのため、本発明では、乾式目地材を目地に備えられた継ぎ手部品に嵌合保持させて取り付けるようにし、乾式目地材の取付け状態が目地空間を挟む両側の面部に依存しない構造とすることで、横目地を乾式目地材で隠しながら、上記のような横目地からの水の排出を実現するようにしたものである。
【００１１】
前記乾式目地材が、屋外からの風圧及び／又は水圧を受けると、目地を挟む下側の壁と乾式目地材との間を閉じるよう復元可能に弾性変形して屋外側からの水の侵入を抑制又は阻止するようになされているのもよい。この場合は、目地を挟む下側の壁と乾式目地材との間を通じた屋外への水の排出を可能としながら、目地を挟む下側の壁と乾式目地材との間を通じた屋外側からの水の侵入を抑制又は阻止することができ、乾式目地材に排水機能と止水機能という相反する両機能を併せもたせることができる。
【００１２】
また、目地が横目地であり、前記乾式目地材が、目地を挟む上側の壁の側において、屋外に向けて斜め下方に傾斜している場合は、目地を挟む上側の壁と乾式目地材との間を通じた水の侵入を抑えて水を屋外側に誘導することができる。
【００１３】
【発明の実施の形態】
次に、本発明の実施形態を図面に基づいて説明する。
【００１４】
図１乃至図５に示す第１実施形態は、住宅等の建物の階間胴差部の横目地に適用した場合のものである。１は胴差、２は階上外壁パネル、３は階下の外壁パネル、４は胴差面材、５，５は乾式目地材である。
【００１５】
各外壁パネル２，３は、図１及び図２に示すように、外壁面材２ａ，３ａの背面側に下地材２ｂ，３ｂを介してパネルフレーム２ｃ，３ｃが取り付けられたもので、各外壁パネル２，３はパネルフレーム２ｃ，３ｃを介して胴差１に保持されている。そして、階上階下の外壁面材２ａ，３ａ間に胴差面材４が設置され、階下の外壁面材３ａと胴差面材４との間、及び、胴差面材４と階上外壁面材２ａとの間のそれぞれに横目地９，９が設けられ、これら横目地９，９にそれぞれ乾式目地材５，５が取り付けられている。
【００１６】
更に、上下の各外壁パネル２，３間に次のような止水手段が備えられている。即ち、各外壁パネル２，３の下地材２ｂ，３ｂは、発泡樹脂などの止水性を備えたものからなっていて、階上外壁パネル２の下地材２ｂは外壁面材２ａよりも下方に突出すると共に、階下外壁パネル３の下地材３ｂは外壁面材３ａよりも上方に突出しており、これら下地材２ｂ，３ｂの突出部間に胴差部水切り金物６が渡され、この水切り金物６によって胴差部が止水されるようになされている。
【００１７】
この水切り金物６は、下縁部側が階下外壁パネル３の下地材３ｂの正面側に配置され、脚部６ａでこの下地材３ｂを前後方向から挟んだ状態にすると共に、上縁部側が階上外壁パネル２の下地材２ｂの背面側に配置され、ピース物の固定金物７でこの下地材２ｂを前後方向から挟んだ状態することで取り付けられている。そして、水切り金物６の下縁部側には、階下の外壁パネル３の外壁面材３ａの上面に沿う部分６ｂが備えられ（図３参照）、上下の横目地９，９等を通じて胴差面材４の背面側に侵入した水が下側の横目地９を通じて屋外側に排出されるようになされている。なお、上記の胴差面材４は、図示しない金物によって水切り金物６に取り付けられて胴差部に保持されている。また、８，８はスポンジ状のシール材であり、圧縮状態となって水切り金物６と階上階下の外壁パネル２，３との間をシールしている。
【００１８】
そして、乾式目地材５，５を取り付けるため、横目地９，９内には、目地材取付け用の継ぎ手部品１０，１０が備えられ、乾式目地材５，５は、この継ぎ手部品１０，１０に嵌合保持されることで、横目地空間部９を挟む上下の面部に依存することなく、横目地９，９に取り付けられるようになされている。
【００１９】
本実施形態では、図３及び図５に示すように、継ぎ手部品１０に嵌合用の雄部１０ａが備えられると共に、乾式目地材５に雌型の嵌合基部５ａが備えられ、乾式目地材５の雌の嵌合基部５ａを屋外側から継ぎ手部品１０の雄１０ａと嵌合することで乾式目地材５を継ぎ手部品１０に嵌合保持させることができるようになされている。なお、継ぎ手部品１０，１０はその基部が水切り金物６や外壁パネルの下地材等に取り付けられて備えられているが、水切り金物などの他の部品に一体的に組み込まれたものであってもよい。
【００２０】
上記の乾式目地材５には、屋外側に弧状に膨らむ目地カバー部５ｂが備えられている。この目地カバー部５ｂは、上縁側が傾斜部を介して嵌合基部５ａと一体に連接されると共に、下縁側がフリーであり、図３（イ）（ハ）に示すように、下側の横目地９への取付け状態において、横目地カバー部５ｂの下縁部５ｃが、横目地９を挟む階下の外壁パネル３の外壁面材３ａから離間してそれらの間に隙間１１が形成され、背後の水切り金物６で屋内側への侵入を阻止された水が、この隙間１１を通じて屋外側に排出されるようになされている。なお、継ぎ手部品１０は、胴差の延びる方向に間隔的に備えられており、水の排出が継ぎ手部品１０によって妨げられないようになされている。上側の横目地９についても、図５に示すように、同様の態様で乾式目地材５が取り付けられている。
【００２１】
更に、乾式目地材５は、嵌合基部５ａから目地カバー部５ｂの下縁部５ｃの手前までの部分が、風圧や水圧で変形しにくい比較硬質の良納まり構造になっており、目地カバー部５ｂの下縁部５ｃは風圧や水圧で弾性変形するゴム状などの比較的軟質の構造からなっていて、図４（ロ）に示すように、乾式目地材５に対して屋外側から風雨などによる風圧や水圧が横方向や斜め下方、下方から作用した場合に、目地カバー部５ｂの下縁部５ｃがその圧力による弾性変形で階下の外壁パネル３の外壁面材３ａに当接して上記の隙間１１を塞ぎ、屋外から上記の隙間１１を通じて横目地９の内に水が侵入するのが抑えられ、風圧や水圧が作用しなくなると、図３（イ）（ハ）に示すように、目地カバー部５ｂの下縁部５ｃが弾性復元し外壁面材３ａから離間して上記の隙間１１が開き、背後の水切り金物６で屋内側への侵入を阻止された水を屋外側に排出できるようになされている。上側の横目地９についても、図５（イ）（ハ）（ニ）に示すように、同様の態様で隙間が開閉されるようになされている。
【００２２】
また、図５に示すように、乾式目地材５は、その目地カバー部５ｂの上縁部が傾斜部分を介して嵌合基部５ａに連接され、目地カバー部５ｂは上記のように屋外側に膨らむ弧状をして、それにより、横目地９を挟む上側の外壁面材２ａの側の部分５ｄが、屋外に向けて斜め下方に傾斜しており、この傾斜部分５ｄで受けた水を、横目地９内に入り込んでいかないよう、屋外側に誘導するようになされている。下側の乾式目地材５についても同様である。なお、上側の横目地９については、乾式目地材５が階上外壁パネル２の外壁面材２ａよりも屋外側に突出しており、この外壁面材２ａを伝って流れ落ちる水を乾式目地材５の傾斜部分５ｄで受け、屋外側に排出するようになされている。なお、本実施形態では、乾式目地材５，５と上側の壁材２ａ又は４とは図示するように離間しており、水が横目地９を通して奥方に入り込むことがあるが、入り込んでも、背後の水切り金物６が屋内側への水の侵入を阻止し、下側の横目地９における乾式目地材５の下縁部５ｃ側の隙間１１を通じて外に排出されるようになされている。
【００２３】
上記の構造では、乾式目地材５が、横目地９に備えられた継ぎ手部品１０に嵌合保持されて横目地９に取り付けられているので、乾式目地材５の取付け状態が目地空間９を挟む両側の面部への当接状態に依存せず、そのため、乾式目地材５の取付け状態を安定したものにすることができる。
【００２４】
そして、このような取付け構造を採用することで、横目地９を乾式目地材５によって隠すことができ、しかも、屋内側への水の侵入は水切り金物６によって阻止することができ、そして、水切り金物６によって侵入を阻止された水は下側の横目地９を挟む下側の壁材３ａと乾式目地材５との間を通じて屋外に排出することができる。
【００２５】
また、下側の横目地９を挟む下側の壁３ａと乾式目地材５との間の隙間１１を通じた屋外への水の排出を可能としながら、乾式目地材５の弾性変形によって、同隙間１１を通じた屋外側からの水の侵入を抑えることができ、更に、乾式目地材５に備えられた傾斜５ｄによって、上下の横目地９，９について、横目地９を挟む上側の壁２ａ又は４と乾式目地材５との間を通じた屋内側への水の侵入も抑えて水を屋外側に誘導することができる。
【００２６】
図６に示す第２実施形態は、継ぎ手部品１０に嵌合用の雌部１０ｂが備えられると共に、乾式目地材５に雄型の嵌合基部５ａが備えられ、乾式目地材５の雄型嵌合基部５ａを屋外側から継ぎ手部品１０の雌部１０ｂと嵌合することで乾式目地材５を継ぎ手部品１０に嵌合保持させることができるようになされている。なお、乾式目地材５の嵌合基部５ａや継ぎ手部品１０が、水の排出の妨げになる場合には、いずれか一方又は両方を長手方向に間隔的に備えさせるようにするのもよい。その他は、上記の実施形態と同様である。
【００２７】
以上に、本発明の実施形態を示したが、本発明はこれに限られるものではなく、発明思想を逸脱しない範囲で各種の変更が可能である。例えば、上記の実施形態では、階間胴差部における横目地に適用した場合を示しているが、各種建物の横目地に広く用いられてよく、また、横目地に限らず、縦目地に用いられてよい。また、乾式目地材の背後の止水手段は上記のような水切り金物によらなくてもよく、例えば透湿防水シートなどで止水されていてもよい。また、止水手段の採用は任意であり、乾式目地材で目地が止水されるようになされていてもよい。また、継ぎ手部品の具体的形態やその取付け構造についても制限はないし、乾式目地材の具体的形態や継ぎ手部品による乾式目地材の嵌合保持構造についても制限はなく、各種形態、構造が採用されてよい。
【００２８】
【発明の効果】
本発明は、以上のとおりのものであるから、乾式目地材の取付け状態を安定したものにすることができ、また、建物外壁の特に横目地の乾式化に寄与することができる。
【図面の簡単な説明】
【図１】第１実施形態の外壁目地の構造を示す断面図である。
【図２】同断面斜視図である。
【図３】図（イ）は下側の横目地部分を拡大して示す断面図、図（ロ）は乾式目地材を分離させて示す断面図、図（ハ）は隙間部分の拡大断面図である。
【図４】図（イ）は乾式目地材の斜視図、図（ニ）は乾式目地材の下部側における隙間が閉じた状態の断面図である。
【図５】図（イ）は上側の横目地部分を拡大して示す断面図、図（ロ）は乾式目地材を分離させて示す断面図、図（ハ）は乾式目地材の上部側による止水作用を説明する拡大断面図、図（ニ）は乾式目地材の下部側における隙間が閉じた状態の断面図である。
【図６】図（イ）は第２実施形態の外壁目地の構造の要部を示す断面図、図（ロ）は乾式目地材を分離させて示す断面図である。
【符号の説明】
２ａ…階上外壁面材（壁）
３ａ…階下の外壁面材（壁）
４…胴差面材（壁）
５…乾式目地材
５ｄ…傾斜部
６…水切り金物（止水手段）
９…横目地（目地）
１０…継ぎ手部品
１１…隙間
【図１】
2004156313.tif 000003
【図２】
2004156313.tif 000004
【図３】
2004156313.tif 000005
【図４】
2004156313.tif 000006
【図５】
2004156313.tif 000007
【図６】
2004156313.tif 000008